(57)【要約】【課題】  本発明は、カバーフィルムの開口部内に接着層からの接着剤の流入を防ぐようにしたカバーフィルムの加工方法を提供する。【解決手段】  かゝる本発明は、ベースフィルム１１の片面側に接着層１２を有してプリント配線基板２０上に被覆されるカバーフィルム１０の加工方法であって、接着層１２の接着剤を熱硬化型接着剤とし、プリント配線基板２０側に開口する開口部１０ａを形成する際、ベースフィルム１１及び接着層１２をレーザー光線ｒにより一括除去すると共に、開口部１０ａ周辺の熱硬化型接着剤を半硬化させるカバーフィルムの加工方法にあり、これにより、開口部１０ａ内への接着剤の流入を抑える一方、開口部１０ａ周辺の接着性能も維持することができる。【選択図】  図１
2005183484.tif 000002
【特許請求の範囲】
【請求項１】
ベースフィルムの片面側に接着層を有してプリント配線基板上に被覆されるカバーフィルムの加工方法であって、前記接着層の接着剤を熱硬化型接着剤とし、前記プリント配線基板側に開口する開口部を形成する際、前記ベースフィルム及び接着層をレーザー光線により一括除去すると共に、前記開口部周辺の熱硬化型接着剤を半硬化させることを特徴とするカバーフィルムの加工方法。
【請求項２】
前記請求項１により得られたカバーフィルムを、プリント配線基板上に加熱・加圧により被覆させたことを特徴とするプリント配線基板。
【発明の詳細な説明】
【技術分野】
【０００１】
本発明は、カバーフィルムの開口部内に接着層からの接着剤の流入を防ぐようにしたカバーフィルムの加工方法、及びこのカバーフィルムを用いたプリント配線基板に関するものである。
【背景技術】
【０００２】
プリント配線基板、特にフレキシブルプリント配線基板（ＦＰＣ）においては、通常カバーフィルム（一般にカバーレイと呼ばれるフィルム）により、プリント配線基板上を被覆することが多い。このカバーフィルムは、一般にベースとなるベースフィルムの片面側に接着フィルムを貼り合わせたり、接着の塗布などにより接着層を設け、この接着層によりプリント配線基板上に接着させている。
【０００３】
このカバーフィルムにあっては、プリント配線基板側に設置される電子機器や部品などに対応して、これらの機器や部品の取り付け用の穴として、所定の部分に開口部を設ける必要がある。
【０００４】
従来、この開口部を形成にあたっては、接着層を形成した後のカバーフィルムに対して、金型を用いて所定の開口部を設け、その後プリント配線基板側に被覆させていた。
【発明の開示】
【発明が解決しようとする課題】
【０００５】
ところが、カバーフィルムの被覆時には、通常２００〜２５０℃程度で加熱・加圧するため、接着層側の接着剤が開口部内に軟化して流れ出るという問題があった。
【０００６】
これと同種の問題に対処するため、本出願人は、ベースフィルム、接着層、金属箔（銅箔）などが積層された基板において、接着層の接着剤を加熱により硬化するタイプの熱硬化型接着剤とし、電子機器、部品などの取り付け用の穴である開口部を形成する際、レーザー光線によりベースフィルム、接着層、金属箔などを一括除去して、開口部周辺の熱硬化型接着剤を硬化させる加工方法を提案している（特許文献１）。これにより、開口部内には、接着剤の流入を防ぐダム構造が形成されて、その後の電子機器、部品などの取り付け時（加熱時）、接着剤の流入が効果的に防止されることになる。
【特許文献１】特開２００３−２０９３３６
【０００７】
本発明は、上記したように、同様の問題がカバーフィルム側にもあることに着目し、同様の技術をカバーフィルム側に応用する一方、カバーフィルムにあっては、本来の目的である、接着性能を最小限確保すべく、レーザー光線により開口部周辺の熱硬化型接着剤を半硬化の状態に止めることとした。つまり、この半硬化によっても、その被覆時の加熱・加圧において、開口部内への接着剤の流入が防げると同時に、開口部周辺の接着性能が最小限確保されるため、本来のカバー機能も得られるようにしたものである。
【０００８】
カバーフィルムの場合、プリント配線基板の最外層に位置し、例えばＦＰＣの場合、頻繁に屈曲されることから、カバーフィルムの開口部周辺にあっても、最小限接着されていることが望ましい。このため、レーザー光線により接着性能が失われない範囲で、半硬化させて、接着剤の流入を抑える一方、開口部周辺の接着性能を確保することは、極めて重要なことである。
【０００９】
好都合なことに、カバーフィルムの構成は、プリント配線基板側に比較して、ベースフィルムと接着層のみの簡単な構成であるため、比較的小さなレーザー光線の照射量や照射時間であっても、開口部の形成が容易に行えるため、開口部周辺の熱硬化型接着剤を半硬化させたままとすることができるのである。本発明は、まさにこのカバーフィルムの特性に着目したのである。これに対して、プリント配線基板の場合には、ベースフィルム、接着層、金属箔などが幾層かに積層されているため、これにレーザー光線により開口部を形成する場合、ある程度の大きさの照射量や照射時間が必要とされる。この結果として、開口部周辺の熱硬化型接着剤は硬化されることとなる。
【課題を解決するための手段】
【００１０】
請求項１記載の本発明は、ベースフィルムの片面側に接着層を有してプリント配線基板上に被覆されるカバーフィルムの加工方法であって、前記接着層の接着剤を熱硬化型接着剤とし、前記プリント配線基板側に開口する開口部を形成する際、前記ベースフィルム及び接着層をレーザー光線により一括除去すると共に、前記開口部周辺の熱硬化型接着剤を半硬化させることを特徴とするカバーフィルムの加工方法にある。
【００１１】
請求項２記載の本発明は、前記請求項１により得られたカバーフィルムを、プリント配線基板上に加熱・加圧により被覆させたことを特徴とするプリント配線基板にある。
【発明の効果】
【００１２】
本発明のカバーフィルムの加工方法によると、開口部周辺の熱硬化型接着剤が、レーザー光線の照射により半硬化の状態となったカバーフィルムが簡単に得られる。レーザー光線では、カバーフィルムのベースフィルムと接着層とが一括して除去されるため、バリ（切断残片）などの発生もなく、高精度でかつ綺麗に穴開けすることができる。勿論、従来のように金型を用いことは不要となるため、この面からのコストダウンも可能となる。さらに、レーザー光線の走査制御はコンピュータ制御で行うことができるため、穴開けパターンの変更などにも迅速に対応することが可能で、この点からのコストダウンも期待できる。
【００１３】
本発明のプリント配線基板によると、カバーフィルムは従来と同様加熱・加圧で被覆することができ、また、開口部内への接着剤の流入が抑えられ、さらに、開口部周辺にあっても最小限の接着性能が得られる。
【発明を実施するための最良の形態】
【００１４】
図１（Ａ）〜（Ｃ）は、本発明に係るカバーフィルムの加工方法の一つの実施の形態を示したものである。先ず、図１（Ａ）に示すように、ベースフィルム１１と接着層１２とからなるカバーフィルム１０を製造する。ベースフィルム１１としては、特に限定されないが、ＦＰＣの場合には、厚さ１０〜１５μｍ程度のポリイミドフィルムの使用が望ましい。接着層１２の接着剤としては、レーザー光線の照射により硬化するタイプのもの、即ち、熱硬化型接着剤を使用する必要がある。この接着層１２の形成にあたっては、接着フィルムを貼り合わせたり、接着剤を塗布したりすればよい。その厚さも、特に限定されないが、ＦＰＣの場合、１０〜４０μｍ程度とすればよい。
【００１５】
次に、図１（Ｂ）に示すように、カバーフィルム１０の所定の部分にレーザー光線ｒを照射して、電子機器や部品の取り付け用の穴である、開口部１０ａを形成する。このレーザー光線照射時、ベースフィルム１１と接着層１２とが一括して切断除去される一方、開口部１０ａ周辺は、局部的な加熱により、その切断端面から縁部に掛けての接着層１２側の熱硬化型接着剤が半硬化領域１２ａとなる。これにより、本発明の目的とするカバーフィルム１０が得られる。
【００１６】
このとき、レーザー光線ｒとしては、例えば炭酸ガスレーザを使用し、その照射量や照射時間を、小さめに設定することで、上記半硬化領域１２ａを形成することができる。
【００１７】
このようにして得られたカバーフィルム１０を、図１（Ｃ）に示すように、プリント配線基板２０側に被覆させる。このとき、カバーフィルム１０の開口部１０ａは、例えば金属箔（銅箔）のランド部２１などに開口させる。通常、この被覆時には、プリント配線基板２０上にカバーフィルム１０を重ね合わせ、２００〜２５０℃程度に加熱・加圧するわけであるが、開口部１０ａ周辺の接着層１２にあっては、接着剤が半硬化の状態となっているため、開口部１０ａ内への接着剤の流入が抑えられる一方、半硬化によって、接着性能が失われない状態であるため、開口部１０ａ周辺にあっても、最小限の接着性能が得られる。これによって、本発明の目的とするプリント配線基板２０が得られる。
【００１８】
なお、上記実施の形態では、主としてカバーフィルム１０がＦＰＣのカバーレイの場合について説明してきたが、本発明はカバーレイに限定されず、その他のプリント配線基板用のカバーフィルムの場合についても、或いはプリント配線基板についても勿論適用することができる。
【図面の簡単な説明】
【００１９】
【図１】本発明に係るカバーフィルムの加工方法の一つの実施の形態になる加工工程を示した概略説明図である。
【符号の説明】
【００２０】
１０・・・カバーフィルム、  １０ａ・・・開口部、１１・・・ベースフィルム、１２・・・接着層、１２ａ・・・半硬化領域、２０・・・プリント配線基板、  ｒ・・・レーザー光線、
【図１】
2005183484.tif 000003